(57)【要約】【課題】  家庭内に設置されたホームサーバの負荷状況を、ホームサーバからコンテンツのストリーミング配信を受信するクライアント側の処理により把握することのできるホームネットワークシステムを提供する。【解決手段】  ホームネットワークシステムにおいて、ストリーミング配信機能を有するホームサーバ１０１と、ホームサーバ１０１に接続され、ホームサーバ１０１にコンテンツの配信を要求し、ホームサーバ１０１からストリーミング配信されたコンテンツをストリーミング再生し、コンテンツを映像表示装置１０７上に表示させるクライアント１０４とを備え、クライアント１０４は、ホームサーバ１０１へのアクセス要求時刻とアクセス要求に対するホームサーバ１０１からの応答時刻との間隔に基づいて、ホームサーバ１０１の負荷状況を判断し、ホームサーバ１０１の負荷状況を映像表示装置１０７上に表示させるサーバ負荷解析装置１０６を有する。【選択図】  図１
2007074356.tif 000002
【特許請求の範囲】
【請求項１】
家庭内に設置されコンテンツのストリーミング配信機能を有するホームサーバと、
前記家庭内のホームネットワークにより前記ホームサーバに接続され、前記ホームサーバに前記コンテンツの配信を要求し、前記ホームサーバからストリーミング配信された前記コンテンツをストリーミング再生し、前記コンテンツを表示装置上に表示させるクライアントとを備え、
前記クライアントは、前記ホームサーバへのアクセス要求時刻と前記アクセス要求に対する前記ホームサーバからの応答時刻との間隔に基づいて、前記ホームサーバの負荷状況を判断し、前記ホームサーバの負荷状況を前記表示装置上に表示させるサーバ負荷解析装置を有することを特徴とするホームネットワークシステム。
【請求項２】
請求項１記載のホームネットワークシステムにおいて、
前記クライアントのサーバ負荷解析装置は、前記ホームサーバの負荷状況の情報および前記コンテンツの情報に基づいて、前記コンテンツのストリーミング再生が可能かどうかを判断し、その判断結果を前記表示装置上に表示させることを特徴とするホームネットワークシステム。
【請求項３】
請求項１または２記載のホームネットワークシステムにおいて、
前記ホームサーバは、前記コンテンツの予約録画機能を有し、
前記クライアントのサーバ負荷解析装置は、前記ホームサーバによるコンテンツの予約録画の情報に基づいて、前記ストリーミング再生開始時に、再生中の前記コンテンツをストリーミング配信しているホームサーバの予約録画による録画状況を判断し、その判断結果を前記表示装置上に表示させることを特徴とするホームネットワークシステム。
【発明の詳細な説明】
【技術分野】
【０００１】
本発明は、家庭内でユーザがコンテンツを視聴するためのホームネットワークシステムに関し、特に、ユーザにコンテンツのストリーミング配信を行うホームサーバの負荷状況を通知する技術に関するものである。
【背景技術】
【０００２】
近年、デジタル技術の発達により、映像や音声などから構成されるコンテンツのコンテンツデータの作成が容易になり、同時に大容量のＨＤＤ（ハードディスク）を安価に入手しやすくなったことにより、コンテンツデータの保存も容易となった。そのため、ＴＶ番組録画機能を持つＰＣ（パーソナルコンピュータ）や、ＨＤＤレコーダなどが登場してきている。
【０００３】
さらに、ブロードバンドの普及に伴い、家庭内のＬＡＮ環境も普及し始めており、ＣＥ機でも、一部の上位機種に、コンテンツのストリーミング配信などのネットワーク配信機能を搭載したＨＤＤなども登場している。
【０００４】
また、ブロードバンド環境の普及によってすでに多くのＰＣがＬＡＮ端子を搭載しているため、ＴＶ番組録画機能を持つＰＣは、ソフトウェアの機能追加により、比較的容易に、ＴＶ番組録画機能つきホームサーバになることができる。
【０００５】
また、特許文献１記載のようなビデオオンデマンドシステムでは、ビデオサーバ側でビデオサーバ自身の負荷率を計測し、その負荷率の情報をクライアント端末に送出している。
【特許文献１】特開２００１−９４９５９号公報
【発明の開示】
【発明が解決しようとする課題】
【０００６】
しかしながら、ＰＣがＴＶ番組録画機能とホームサーバとしての映像配信機能を同時に搭載し、その両機能を同時に実行した場合、両方の機能を同時に処できないＰＣも存在する。
【０００７】
仮に、ＴＶ番組の予約録画機能を優先する場合、ホームサーバとしての映像配信機能によるコンテンツのストリーミング配信は、予約録画の空き時間に行わなければならない。
【０００８】
ホームサーバの負荷が高まっている状態でコンテンツのストリーミング配信を行うと、ホームサーバによるコンテンツのストリーミング配信が十分でなく、クライアント側の再生で、映像のコマ落ちが発生するなどの不具合が発生する。
【０００９】
このため、クライアント側で、ホームサーバに映像の配信を要求する際、ホームサーバの負荷の状態などを把握する必要があるが、ホームサーバとクライアントが、セットになって開発されず、どちらかが汎用的な端末により構成されるなどして、仕様などに共通性が無い場合などでは、クライアント側だけの処理でホームサーバの負荷状況などを把握することが困難であった。
【００１０】
また、特許文献１に示すような、ビデオオンデマンドシステムなどでは、サーバ側で負荷率を計測して、クライアント端末に送出するものもあるが、クライアント端末が、汎用の端末などで、サーバ側からの負荷率の情報などを取得できない場合もあり、また、クライアント端末のみで、サーバ側の負荷状況などを把握できないものであった。
【００１１】
そこで、本発明の目的は、家庭内に設置されたホームサーバの負荷状況を、ホームサーバからコンテンツのストリーミング配信を受信するクライアント側の処理により把握することのできるホームネットワークシステムを提供することである。
【課題を解決するための手段】
【００１２】
本願において開示される発明のうち、代表的なものの概要を簡単に説明すれば、次のとおりである。
【００１３】
本発明によるホームネットワークシステムは、家庭内に設置されコンテンツのストリーミング配信機能を有するホームサーバと、家庭内のホームネットワークによりホームサーバに接続され、ホームサーバにコンテンツの配信を要求し、ホームサーバからストリーミング配信されたコンテンツをストリーミング再生し、コンテンツを表示装置上に表示させるクライアントとを備え、クライアントは、ホームサーバへのアクセス要求時刻とアクセス要求に対するホームサーバからの応答時刻との間隔に基づいて、ホームサーバの負荷状況を判断し、ホームサーバの負荷状況を表示装置上に表示させるサーバ負荷解析装置を有するものである。
【発明の効果】
【００１４】
本願において開示される発明のうち、代表的なものによって得られる効果を簡単に説明すれば以下のとおりである。
【００１５】
本発明によれば、ホームサーバからのコンテンツのストリーミング配信を受信するクライアント側の処理により、ホームサーバの負荷状況などを把握できるので、クライアントを使用するユーザが現在のホームサーバの負荷や、負荷のスケジュールを把握することができ、負荷のないホームサーバや番組予約スケジュールの空きを選択して、コンテンツのストリーミング配信を受信することができる。
【発明を実施するための最良の形態】
【００１６】
以下、本発明の実施の形態を図面に基づいて詳細に説明する。なお、実施の形態を説明するための全図において、同一の部材には原則として同一の符号を付し、その繰り返しの説明は省略する。
【００１７】
（実施の形態１）
＜ホームネットワークシステムの構成＞
図１により、本発明の実施の形態１に係るホームネットワークシステムの構成について説明する。図１は本発明の実施の形態１に係るホームネットワークシステムの構成を示す構成図である。
【００１８】
図１において、ホームネットワークシステムは、映像や静止画や音声などのコンテンツを保持するデータベース１０２、コンテンツをストリーミング配信するコンテンツ送信装置１０３を有し、コンテンツのストリーミング配信を行うホームサーバ１０１、ホームサーバ１０１からのストリーミング配信を受信するコンテンツ受信装置１０５、ホームサーバからのコンテンツの受信状態からホームサーバの負荷状況を判断するサーバ負荷解析装置１０６、コンテンツを表示する映像表示装置１０７を有し、ホームサーバ１０１からのコンテンツのストリーミング配信を受信し、コンテンツを表示または再生するクライアント１０４から構成されている。
【００１９】
＜ホームネットワークシステムの動作＞
次に、図１〜図３により、本発明の実施の形態１に係るホームネットワークシステムの動作について説明する。図２は本発明の実施の形態１に係るホームネットワークシステムの映像表示装置上の表示例を示す図、図３は本発明の実施の形態１に係るホームネットワークシステムのサーバ負荷解析装置の処理を示すフローチャートである。
【００２０】
まず、図１に示すように、ユーザの操作などにより、クライアント１０４のコンテンツ受信装置１０５が、コンテンツ送信装置１０３に対して、コンテンツ一覧を要求する（Ｓ１０１）。
【００２１】
そして、コンテンツ送信装置１０３は、コンテンツを保持するデータベース１０２に保持するコンテンツを検索し、必要なコンテンツの一覧を作成し（Ｓ１０２）、作成した一覧は、コンテンツ受信装置１０５に送信される（Ｓ１０３）。
【００２２】
そして、コンテンツ受信装置１０５は、受信したコンテンツ一覧を映像表示装置１０７に表示させる（Ｓ１０４）。
【００２３】
そして、ユーザは、映像表示装置１０７に表示されたコンテンツ一覧から、所望のコンテンツを選択することにより、コンテンツ受信装置１０５に指示し、コンテンツ受信装置１０５は、ユーザ所望のコンテンツを、コンテンツ送信装置１０３に要求する（Ｓ１０５）。
【００２４】
そして、コンテンツ送信装置１０３は、コンテンツ受信装置１０５から要求されたコンテンツを、コンテンツを保持するデータベース１０２から特定する（Ｓ１０６）。
【００２５】
そして、コンテンツ送信装置１０３は、特定したコンテンツを、コンテンツ受信装置１０５に対して、ストリーミング配信として送信する（Ｓ１０７）。
【００２６】
そして、コンテンツ受信装置１０５は、コンテンツ送信装置１０３から、特定したコンテンツのストリーミング配信を受信し、映像表示装置１０７上に表示させる（Ｓ１０８）。
【００２７】
このとき、ホームサーバ１０１には、コンテンツをストリーミング配信するための十分なＣＰＵリソースと、ホームサーバ１０１とクライアント１０４の間のネットワーク経路に十分な帯域がないと、クライアント１０４側の映像表示装置１０７にて、十分な品質の映像を再生できない。
【００２８】
ホームサーバ１０１のＣＰＵ負荷が高い場合、クライアント１０４の映像表示装置１０７にて、映像がとぎれとぎれになり、コマ落ちが発生したり、ホームサーバ１０１の負荷が、ホームサーバ１０１側の別の処理に割かれる場合には、コンテンツのストリーミング配信が停止してしまうことになる。
【００２９】
このホームサーバ１０１の負荷が高い場合の具体例は、ＴＶ録画機能とホームサーバ機能の両方の機能を備え持つパソコンで、ＴＶ番組録画中に、クライアントから映像の配信要求があった場合などが、このケースに相当する。
【００３０】
このため、本実施の形態では、コンテンツ受信装置１０５にて、ストリーミング配信されたコンテンツの受信状況のデータを、サーバ負荷解析装置に受け渡し（Ｓ１０９）、ホームサーバ１０１の現状のデータ配信能力を、データの要求から応答までのレスポンスで判定し、配信可能なビットレートなどの目安となるランク付けを行った上で、映像表示装置１０７に通知する（Ｓ１１０）。
【００３１】
この通知例は、例えば図２に示すようなものであり、図２に示す例では、映像表示装置１０７上の表示領域２００には、動画などのコンテンツ表示部２０１、アクセス可能なサーバを表示するサーバリスト表示部２０３、サーバリスト表示部２０３のサーバリスト表示で選択されたサーバ内のコンテンツのリストを表示するコンテンツリスト表示部２０４を持つユーザインタフェースとなっており、サーバリスト表示部２０３内にサーバ負荷表示部２０２として、それぞれのホームサーバ１０１に対して、ホームサーバ１０１の負荷をコンテンツの再生可能なビットレートで表示させるている。
【００３２】
サーバ負荷表示部２０２に表示させるサーバ負荷の判断は、クライアント１０４からホームサーバ１０１へのアクセス要求時刻と、ホームサーバ１０１からの応答時刻との差分で決定している。
【００３３】
このサーバ負荷表示部２０２に表示させるサーバ負荷の判断としては、図３に示すように、まず、ホームサーバ１０１へのアクセス要求時刻をＸ、ホームサーバ１０１からの応答時刻をＹとする（Ｓ２０１）。
【００３４】
そして、ホームサーバ１０１からの応答があるかどうかを判断し（Ｓ２０２）、Ｓ２０２でホームサーバ１０１からの応答が一定時刻を待ってもない場合は、サーバ負荷表示部２０２に「×」を表示させ、ホームサーバ１０１の負荷が高まっていることを示す（Ｓ２０３）。
【００３５】
また、Ｓ２０２でホームサーバ１０１からの応答があった場合は、Ｙ−Ｘの値を算出し（Ｓ２０４）、つまり、応答の時間の間隔によって、サーバの負荷を判断する。
【００３６】
ここで、ある閾値Ｄ１とＤ２を決定し（ただしＤ１＜Ｄ２）、Ｙ−Ｘの値がそれぞれの閾値のどの区間に入るかによって、負荷を判断する。
【００３７】
例えば、Ｙ−Ｘ＞Ｄ２となれば、サーバ負荷表示部を「×」とする（Ｓ２０３）。
【００３８】
同様にＹ−Ｘ＞Ｄ１となれば、サーバ負荷表示部を「４Ｍ」とし（Ｓ２０５）、Ｙ−Ｘがそれ以外の小さい値を示せば、サーバ負荷表示部を「８Ｍ」とする（Ｓ２０６）。
【００３９】
ここでいう「８Ｍ」は、８Ｍｂｐｓの映像のストリーミング再生を要求しても、サーバの付加によって、コマ落ちや遅延が発生しないことを示す、目安の値である。
【００４０】
＜ホームサーバ１０１の負荷状況の他の表示例＞
次に、図４および図５により、本発明の実施の形態１に係るホームサーバシステムの負荷状況の他の表示例について説明する。図４は本発明の実施の形態１に係るホームネットワークシステムの映像表示装置上の他の表示例を示す図、図５は本発明の実施の形態１に係るホームネットワークシステムのコンテンツ毎のサーバ負荷表示を説明するための説明図である。
【００４１】
図２に示す表示例では、ユーザインタフェースに、サーバ負荷表示を、サーバリスト部に表示させたが、ホームサーバシステムには、アクセス可能なホームサーバ１０１から、全てのコンテンツリストを取得して、一度に表示することも可能である。
【００４２】
これは、図４に示すように、異なるホームサーバ１０１にあるコンテンツを一度に表示しており、サーバ負荷表示を、コンテンツ毎に示している。
【００４３】
図４に示す例では、ホームサーバ１０１の情報は表示されていないが、各コンテンツは例えば、図５に示すように、各ホームサーバ１０１のそれぞれのデータベース１０２に格納されている。
【００４４】
コンテンツＡＡは４Ｍｂｐｓの映像コンテンツで、ホームサーバＡ１０１のデータベースＡ１０２に格納されている。同様に、コンテンツＢＢは８Ｍｂｐｓ、コンテンツＢＣは４ＭｂｐｓのコンテンツでホームサーバＢ１０１のデータベースＢ１０２に格納され、コンテンツＣＤは４ＭｂｐｓでホームサーバＣ１０１のデータベースＣ１０２に格納されている。
【００４５】
ここで、例えば、ホームサーバＡ１０１の負荷状況は、コンテンツの配信ができない状態にあるので、コンテンツＡＡの配信ができず、図４に示すユーザインタフェース上のコンテンツＡＡには、「×」を表示させる。
【００４６】
同様にホームサーバＢ１０１の負荷状況は、８Ｍｂｐｓのコンテンツが再生可能な状態にあるため、８ＭｂｐｓのコンテンツＢＢは、図４に示すユーザインタフェース上にて「○」と表示させる。
【００４７】
ホームサーバ１０１Ｂは４ＭｂｐｓのコンテンツＢＣも保持し、サーバの負荷状況は、８Ｍｂｐｓのコンテンツ再生可能な状況にある。コンテンツのビットレートよりも、サーバの負荷状況に大きく余裕があるため、ここでは、ユーザインタフェース上で「◎」と表示させる。
【００４８】
同様に、ホームサーバ１０１Ｃの負荷状況は、「４Ｍｂｐｓのコンテンツなら再生可能、８Ｍｂｐｓは不可」であり、コンテンツＣＤは４Ｍｂｐｓである。このコンテンツは再生可能なので、ユーザインタフェース上の表示は、「○」とする。
【００４９】
これにより、ユーザが、複数存在するホームサーバ１０１のどこに格納されているコンテンツかを認識することなく、ユーザが視聴したいコンテンツが現在快適に視聴できるかどうかを確認することが可能である。
【００５０】
以上のように、本実施の形態では、クライアント１０４からホームサーバ１０１へのアクセス要求に対するホームサーバ１０１からの応答があるまでの時間により、ホームサーバ１０１の負荷状況を判断するので、ホームサーバ１０１での処理とは関係なく、クライアント１０４側だけの処理により、ホームサーバ１０１の負荷を検出することが可能である。
【００５１】
このため、ホームサーバ１０１とクライアント１０４は、一般的なストリーミング配信に対する要求や応答の仕様を持っていればよく、ホームサーバ１０１の負荷検出に関する共通の仕様などを持つことなく、クライアント１０４によるホームサーバ１０１の負荷状況を把握することが可能である。
【００５２】
（実施の形態２）
実施の形態２は、実施の形態１において、ホームサーバ１０１にＴＶ番組録画機能を追加し、ホームネットワークを介したストリーミング再生を行うときに、ホームサーバ側でＴＶ番組の録画予約が始まり、ホームサーバの負荷が上昇する可能性をユーザに通知し、また、ホームサーバにて予約録画が行われているときに、ストリーミング配信を要求したとき、録画予約がいつに終わって、いつからサーバの負荷が軽くなるかを通知するようにしたものである。
【００５３】
＜ホームネットワークシステムの構成＞
図６により、本発明の実施の形態２に係るホームネットワークシステムの構成について説明する。図６は本発明の実施の形態２に係るホームネットワークシステムの構成を示す構成図である。
【００５４】
図６において、ホームネットワークシステムは、ＴＶ番組録画機能つきホームサーバ１０１とクライアント１０４から構成され、ホームサーバ１０１は、録画装置５０４、録画予約リスト５０３、番組予約内容確認装置５０６を有しており、他の構成は実施の形態１の構成と同様であり、ホームサーバ１０１の負荷状況の判断処理の動作も実施の形態１と同様である。
【００５５】
＜ホームネットワークシステムの動作＞
次に、図６〜図１０により、本発明の実施の形態２に係るホームネットワークシステムの動作について説明する。図７は本発明の実施の形態２に係るホームネットワークシステムの予約録画が有る場合の映像表示装置上の表示例を示す図、図８は本発明の実施の形態２に係るホームネットワークシステムの予約録画が有る場合の処理を示すフローチャート、図９は本発明の実施の形態２に係るホームネットワークシステムの予約録画中の場合の映像表示装置上の表示例を示す図、図１０は本発明の実施の形態２に係るホームネットワークシステムの予約録画中の場合の処理を示すフローチャートである。
【００５６】
まず、ストリーミング再生中に、ホームサーバ１０１側でＴＶ番組の録画予約が始まる場合としては、図６に示すように、ユーザの操作などにより、クライアント１０４のコンテンツ受信装置１０５が、コンテンツ送信装置１０３に対して、コンテンツ一覧を要求する（Ｓ３０１）。
【００５７】
そして、コンテンツ送信装置１０３は、コンテンツを保持するデータベース１０２に保持するコンテンツを検索し、必要なコンテンツの一覧を作成し（Ｓ３０２）、作成した一覧は、コンテンツ受信装置１０５に送信される（Ｓ３０３）。
【００５８】
そして、コンテンツ受信装置１０５は、受信したコンテンツ一覧を映像表示装置１０７に表示させる（Ｓ３０４）。
【００５９】
そして、ユーザは、映像表示装置１０７に表示されたコンテンツ一覧から、所望のコンテンツを選択することにより、コンテンツ受信装置１０５に指示し、コンテンツ受信装置１０５は、ユーザ所望のコンテンツを、コンテンツ送信装置１０３に要求する（Ｓ３０５）。
【００６０】
そして、コンテンツ送信装置１０３は、コンテンツ受信装置１０５から要求されたコンテンツを、コンテンツを保持するデータベース１０２から特定する（Ｓ３０６）。
【００６１】
そして、コンテンツ受信装置１０５は、コンテンツ送信装置１０３からの情報により、特定したコンテンツから、コンテンツの時間長を取得する（Ｓ３０７）。
【００６２】
また、コンテンツ受信装置１０５は、番組予約内容確認装置５０６からホームサーバ１０１側の番組予約時間の通知を受け（Ｓ３０８）、コンテンツの時間長および番組予約時間の情報をサーバ負荷解析装置１０６に受け渡す（Ｓ３０９）。
【００６３】
そして、サーバ負荷解析装置１０６は、現在の時間からコンテンツの時間長を元に、想定される再生時間の算出を行い、想定される再生時間と録画予約にオーバーラップの有無を確認し、オーバーラップがあれば、図７に示すように、「サーバＢの録画予約が、１９：００から始まります。３５分後にコンテンツＢＢの再生品質が低下、または再生できなくなるかもしれません」というような画面を映像表示装置１０７上のサーバリスト表示部２０３に表示して、その情報をユーザに対して提供し、ユーザに３５分後に負荷が高まる旨を通知する（Ｓ３１０）。
【００６４】
ここで、もし、ユーザが、再生を承認すれば、コンテンツ受信装置１０５は、コンテンツ送信装置１０３に対して、映像の配信を要求し（Ｓ３１１）、コンテンツ送信装置１０３は、コンテンツを保持するデータベースから、コンテンツを特定する（Ｓ３１２）。
【００６５】
そして、コンテンツ送信装置１０３は、特定したコンテンツを、コンテンツ受信装置１０５に対して、ストリーミング配信として送信する（Ｓ３１３）。
【００６６】
そして、コンテンツ受信装置１０５は、コンテンツ送信装置１０３から、特定したコンテンツのストリーミング配信を受信し、映像表示装置１０７上に表示させる（Ｓ３１４）。
【００６７】
Ｓ３１０でのサーバ負荷表示部２０２に表示させる情報の判断としては、図８に示すように、まず、現在時刻と、コンテンツの時間長から、ストリーミング再生終了時刻を予想し、現在時刻からストリーミング再生終了時刻までの区間をｄとする（Ｓ４０１）。
【００６８】
そして、ｄの区間内に、番組の予約があるかどうかを判断し（Ｓ４０２）、Ｓ４０２で番組の予約がなければ、警告メッセージなしに、コンテンツのストリーミング再生を行う（Ｓ４０３）。
【００６９】
また、Ｓ４０２で番組の予約があれば、例えば、図７に示すような表示を行うことにより、ユーザに、ストリーミングファイル再生中に予約録画が始まること、およびストリーミング再生が、ホームサーバ側の負荷により、スムーズに処理できない可能性があることの２点を通知する（Ｓ４０４）。
【００７０】
このような処理により、ホームサーバ１０１の負荷状況の判断だけではなく、ホームサーバ１０１の録画予約の情報により、現在は、ホームサーバ１０１の負荷がなく、ストリーミング配信を問題なく行うことなうことができると判断している場合であっても、ストリーミング再生中にホームサーバ１０１の負荷が大きくなることを、クライアント１０４側で把握することが可能である。
【００７１】
また、ホームサーバ１０１にて予約録画が行われている場合としては、前述した図６に示したＳ３０１〜Ｓ３１４の動作と同様な動作により、ユーザが選択したコンテンツを特定して、ストリーミング再生を行っている。
【００７２】
この際、ホームサーバ１０１にて予約録画が行われていれば、図９に示すように、「サーバＡの録画予約が、２１：５４に終了します。２５分後以降は、コンテンツＡＡの再生が可能、または再生品質が向上する可能性があります」というような画面を映像表示装置１０７上のサーバリスト表示部２０３に表示して、その情報をユーザに対して提供し、２５分後に負荷が低くなる旨を通知している。
【００７３】
このサーバ負荷表示部２０２に表示させる情報の判断としては、図１０に示すように、まず、番組予約時間の情報により、ホームサーバ１０１側でＴＶ番組を録画中であるかどうかを判断し（Ｓ５０１）、Ｓ５０１で録画中でなければ、警告メッセージなしにコンテンツ受信装置１０５経由で、ストリーミング再生を行う（Ｓ５０２）。
【００７４】
また、Ｓ５０１で録画中であれば、予約録画による録画かどうかを判断し（Ｓ５０３）、Ｓ５０３で予約録画による録画でなければ、録画の終了時間を確認することはできないため、ホームサーバ１０１にて番組録画中である旨を通知する（Ｓ５０４）。
【００７５】
また、Ｓ５０３で予約録画による録画であれば、その予約がいつ終了するかについて、通知を行い、例えば、図９に示すように、ユーザに、予約録画終了時刻、終了時刻以降は、ホームサーバ側の負荷が軽減され、スムーズに処理できる可能性があることの２点を通知する（Ｓ５０６）。
【００７６】
そして、Ｓ５０４およびＳ５０５による通知の後、ユーザのストリーミング再生の意思を確認し（Ｓ５０７）、ユーザの承諾があれば、ストリーミング再生を行う（Ｓ５０８）。
【００７７】
このような処理により、ホームサーバ１０１の負荷状況の判断だけではなく、ホームサーバ１０１の録画予約の情報により、現在は、ホームサーバ１０１の負荷が大きく、ストリーミング配信には適さない状態だが、一定時間経過後には、ホームサーバ１０１の負荷が低くなるなることを、クライアント１０４側で把握することが可能である。
【００７８】
以上、本発明者によってなされた発明を実施の形態に基づき具体的に説明したが、本発明は前記実施の形態に限定されるものではなく、その要旨を逸脱しない範囲で種々変更可能であることはいうまでもない。
【産業上の利用可能性】
【００７９】
本発明は、家庭内でユーザがコンテンツを視聴するためのホームネットワークシステムに関し、特に、ユーザにコンテンツのストリーミング配信を行うホームサーバの負荷状況を通知するシステムに適用可能である。
【図面の簡単な説明】
【００８０】
【図１】本発明の実施の形態１に係るホームネットワークシステムの構成を示す構成図である。
【図２】本発明の実施の形態１に係るホームネットワークシステムの映像表示装置上の表示例を示す図である。
【図３】本発明の実施の形態１に係るホームネットワークシステムのサーバ負荷解析装置の処理を示すフローチャートである。
【図４】本発明の実施の形態１に係るホームネットワークシステムの映像表示装置上の他の表示例を示す図である。
【図５】本発明の実施の形態１に係るホームネットワークシステムのコンテンツ毎のサーバ負荷表示を説明するための説明図である。
【図６】本発明の実施の形態２に係るホームネットワークシステムの構成を示す構成図である。
【図７】本発明の実施の形態２に係るホームネットワークシステムの予約録画が有る場合の映像表示装置上の表示例を示す図である。
【図８】本発明の実施の形態２に係るホームネットワークシステムの予約録画が有る場合の処理を示すフローチャートである。
【図９】本発明の実施の形態２に係るホームネットワークシステムの予約録画中の場合の映像表示装置上の表示例を示す図である。
【図１０】本発明の実施の形態２に係るホームネットワークシステムの予約録画中の場合の処理を示すフローチャートである。
【符号の説明】
【００８１】
１０１…ホームサーバ、１０２…データベース、１０３…コンテンツ送信装置、１０４…クライアント、１０５…コンテンツ受信装置、１０６…サーバ負荷解析装置、１０７…映像表示装置、２００…表示領域、２０１…コンテンツ表示部、２０２…サーバ負荷表示部、２０３…サーバリスト表示部、２０４…コンテンツリスト表示部、５０３…録画予約リスト、５０４…録画装置、５０６…番組予約内容確認装置。
【図１】
2007074356.tif 000003
【図２】
2007074356.tif 000004
【図３】
2007074356.tif 000005
【図４】
2007074356.tif 000006
【図５】
2007074356.tif 000007
【図６】
2007074356.tif 000008
【図７】
2007074356.tif 000009
【図８】
2007074356.tif 000010
【図９】
2007074356.tif 000011
【図１０】
2007074356.tif 000012